(57)【要約】      （修正有）【課題】モバイル電子機器のスクリーンの保護シートであって、高硬度化し、耐摩耗性と引っ掻き傷の発生防止を図った保護シートを提供する。【解決手段】電子機器用の保護シート１は、保護シート本体１０と第１マイクロ構造層１１を包含し、該保護シート本体１０は第１表面１０１と第２表面１０２を備え、該第１マイクロ構造層１１は該保護シート本体の該第１表面１０１に設置され、そのうち、該保護シート本体の該第２表面１０２は電子機器の表面を被覆し、該保護シートの表面硬度は１Ｈから１２Ｈの間とされる。保護シート１の製造方式は、射出成形で製作され、第１型と第２型を提供し、続いて第１型の内表面に第１光学樹脂を塗布して、第１マイクロ構造層１１を形成し、続いて、第２光学樹脂を第１光学樹脂と第２型の間に注入し、保護シート本体１０を形成し、最後に第１型と第２型を取り外し、保護シート１を形成する。【選択図】図１
0003177810.tif 000002
【実用新案登録請求の範囲】
【請求項１】
電子機器用の保護シートにおいて、第１表面と第２表面を備えた保護シート本体と、該第１表面に設置された第１マイクロ構造層を包含し、
該保護シート本体の該第２表面が電子機器の表面を被覆し、該保護シートの表面硬度が１Ｈから１２Ｈの間とされることを特徴とする、電子機器用の保護シート。
【請求項２】
請求項１記載の電子機器用の保護シートにおいて、該保護シート本体は光学樹脂とされ、その材質はガラス或いはアクリルとされることを特徴とする、電子機器用の保護シート。
【請求項３】
請求項１記載の電子機器用の保護シートにおいて、該保護シート本体の屈折率は該電子機器の表面の屈折率より小さいことを特徴とする、電子機器用の保護シート。
【請求項４】
請求項１記載の電子機器用の保護シートにおいて、該第１マイクロ構造層は光学樹脂とされ、該光学樹脂は少なくとも一種類の添加物を包含することを特徴とする、電子機器用の保護シート。
【請求項５】
請求項１記載の電子機器用の保護シートにおいて、該第１マイクロ構造層は少なくとも一つの立体パターンを包含し、該立体パターンは霧面状、髪の毛模様状、皮革紋様状、編成模様状、カーボン模様状或いは同心円紋様状とされ、該立体パターンの断面形状は半円形或いは直角二等辺三角形とされることを特徴とする、電子機器用の保護シート。
【請求項６】
請求項１記載の電子機器用の保護シートにおいて、貼り付け構造をさらに包含し、該貼り付け構造は該保護シート本体の第２表面に設置され、該保護シート本体を該電子機器の表面に貼り付けさせ、該貼り付け構造は、光学樹脂であり、該貼り付け構造は、該保護シート本体の該第２表面に設置される接合層と、該接合層に設置される基材層と、該基材層に設置され、該電子機器の表面に貼り付けられる貼り付け層とを包含することを特徴とする、電子機器用の保護シート。
【請求項７】
請求項６記載の電子機器用の保護シートにおいて、該貼り付け構造はさらに、
該接合層と該基材層の間或いは該貼り付け層と該基材層の間に設置される導電層を包含することを特徴とする、電子機器用の保護シート。
【請求項８】
請求項６記載の電子機器用の保護シートにおいて、該貼り付け構造はさらに、
該接合層、該基材層及び該貼り付け層のいずれかに嵌め込まれた導電層を包含することを特徴とする、電子機器用の保護シート。
【請求項９】
請求項１記載の電子機器用の保護シートにおいて、該保護シート本体の該第２表面に設置された第２マイクロ構造層をさらに包含することを特徴とする、電子機器用の保護シート。
【請求項１０】
請求項９記載の電子機器用の保護シートにおいて、該第２マイクロ構造層は光学樹脂とされ、該第２マイクロ構造層の該光学樹脂は少なくとも一種類の添加物を包含し、
該第２マイクロ構造層は少なくとも一つの立体パターンを包含し、該立体パターンは霧面状、髪の毛模様状、皮革紋様状、編成模様状、カーボン模様状或いは同心円紋様状とされ、該立体パターンの断面形状は半円形或いは直角二等辺三角形とされることを特徴とする、電子機器用の保護シート。
【請求項１１】
請求項１記載の電子機器用の保護シートにおいて、該保護シートの厚さは０．０１ｍｍから０．５ｍｍの間とされ、該保護シートの透明度は９８％以上であることを特徴とする、電子機器用の保護シート。
【請求項１２】
請求項１記載の電子機器用の保護シートにおいて、該第１マイクロ構造層のエッジに丸い角が設けられたことを特徴とする、電子機器用の保護シート。
【考案の詳細な説明】
【技術分野】
【０００１】
本考案は一種の保護シートに係り、電子機器に用いられる保護シートを指す。
【背景技術】
【０００２】
科学技術の進歩に伴い、現代人とモバイル電子機器は切っても切れない関係となり、現在市場にあるモバイル電子機器には、非常に多くの種類が存在し、携帯電話、ＰＤＡ、ＧＰＳ、電子ブック、ノートブック型コンピュータ、ＭＰ３、ＭＰ４、デジタルカメラ等は、いずれも表示ディスプレイ、さらにはタッチコントロール式ディスプレイが装備されている。長期にこれらのモバイル電子機器を使用すると、ディスプレイ部が次第に摩損し、摩損防止のためにディスプレイ保護シートが開発された。現在市場に出回っているディスプレイ保護シートのほとんどは、ディスプレイの外表面に加工をほどこす方式で、その処理方法には非常に多くの種類があり、モバイル電子機器のディスプレイ表面にシートを貼り付けるか、薄シートの転移を行ない、ディスプレイの処理をほどこした後、製品の外観の美観向上、接着剤が残らず、重複加工に便利で、基本的な汚れ防止と基本的な引っ掻き傷防止の機能を有する様になるが、更に高い耐磨耗性を確保させ、人目をひく斬新な外観を表現させるかについては、現在の保護シートでは高い耐磨耗性を達成できておらず、いかにしてモバイル電子機器のスクリーンの耐磨耗性等の問題を解決するかが、最も重要な課題となっている。
【０００３】
周知の電子機器の保護シートの硬度は十分ではなく、このため保護シートに容易に引っ掻き傷を生じるか破損し、保護シートの使用寿命が短命で有効に電子機器の表面を保護できない。上述の問題を鑑み、本考案は、高硬度の保護シートを提供し、電子機器の表面に用いて、上述の問題を改善する。
【考案の概要】
【考案が解決しようとする課題】
【０００４】
本考案の目的は、電子機器用の保護シートを提供することにあり、本考案の保護シートは、高硬度の特性を有し、これにより保護シートが良好な耐磨耗性と引っ掻き傷防止性を有し、保護シートの使用寿命を延長でき、確実に電子機器の表面を保護する。
【課題を解決するための手段】
【０００５】
本考案の提供する電子機器用の保護シートは、保護シート本体と第１マイクロ構造層を包含し、該保護シート本体は第１表面と第２表面を備え、該第１マイクロ構造層は該保護シート本体の該第１表面に設置され、そのうち、該保護シート本体の該第２表面は電子機器の表面を被覆し、該保護シートの表面硬度は１Ｈから１２Ｈの間とされる。
【考案の効果】
【０００６】
本考案の電子機器用の保護シートは、高い表面硬度の特性を有し、これにより保護シートが良好な耐磨耗性と引っ掻き傷防止性を有し、保護シートの使用寿命が延長され、電子機器の表面を確実に保護する。
【図面の簡単な説明】
【０００７】
【図１】本考案の第１実施例の保護シートの断面図である。
【図２】本考案の第１実施例の保護シートの使用状態図である。
【図３】本考案の図１のａ領域の拡大図である。
【図４】本考案の第２実施例の保護シートの断面図である。
【図５Ａ】本考案の図１のａ領域の別の拡大図である。
【図５Ｂ】本考案の図１のａ領域の別の拡大図である。
【図６】本考案の第４実施例の保護シートの断面図である。
【図７】本考案の第５実施例の貼り付け構造の断面図である。
【図８】本考案の第６実施例の貼り付け構造の断面図である。
【図９】本考案の第７実施例の貼り付け構造の断面図である。
【図１０】本考案の第８実施例の貼り付け構造の断面図である。
【考案を実施するための形態】
【０００８】
本考案の技術内容、構造特徴、達成する目的を詳細に説明するため、以下に実施例を挙げ並びに図面を組み合わせて説明する。
【０００９】
周知の電子機器用の保護シートは、硬度が不十分で、保護シートが容易に引っ掻き傷を受けるか破損し、保護シートの使用寿命が短縮され、有効に電子機器の表面を保護できない。上述の問題を鑑み、本考案は高硬度の保護シートを提供し、電子機器の表面を保護するのに用いる。
【００１０】
図１及び図２を参照されたい。これらは本考案の第１実施例の保護シートの断面図及び使用状態図である。図示のように、本実施例は、電子機器用の保護シート１を提供し、保護シート１は、電子機器２の保護したい表面２１に貼り付けられる。保護した表面２１は通常、電子機器２の表示領域２２に対応する。本実施例の保護シート１の表面硬度は１Ｈを超過し、１２Ｈまで達することにより、本考案の保護シート１は周知の保護シートに較べて良好な耐磨耗性と引っ掻き傷防止性を有し、保護シート１の使用寿命が延長され、電子機器２の表面２１を有効に保護し、電子機器２の表面２１が引っ掻き傷或いは破損するのを防止する。本実施例の保護シート１は非常に軽くまた薄いシートで、その厚さは０．０１ｍｍから０．５ｍｍの間とされ、その透明度は９８％以上に達する。
【００１１】
本実施例の保護シート１は、保護シート本体１０と第１マイクロ構造層１１を包含する。保護シート本体１０は第１表面１０１及び第２表面１０２を備え、第１マイクロ構造層１１は第１表面１０１に設置される。本実施例の保護シート１の製造方式は、射出成形で製作され、第１型と第２型を提供し、続いて第１型の内表面に第１光学樹脂を塗布して、第１マイクロ構造層１１を形成し、続いて、第２光学樹脂を第１光学樹脂と第２型の間に注入し、保護シート本体１０を形成し、最後に第１型と第２型を取り外し、保護シート１を形成する。
【００１２】
本実施例の保護シート１は、射出成形で製造され、周知の保護シートの製造法とは異なる。周知の保護シートは、加圧方式で製造されるため、エッジ部が鋭利となり、使用者を傷つけやすい。本実施例の保護シート１は射出成形で製造され、更に保護シート１のエッジ（孔のエッジを包含する）に対してＣ形加工を実施して、保護シート１の第１マイクロ構造層１１のエッジに丸い角１４を確保し、保護シート１が使用者を傷つけるのを防止する。本実施例の保護シート１は、保護シート本体１０の第１表面１０１のみに第１マイクロ構造層１１が設置されているが、保護シート本体１０の第２表面１０２に第２マイクロ構造層１２を設置してもよい（図４参照）。
【００１３】
本実施例の保護シート１は、高硬度の特性を有し、それは保護シート本体１０の第１表面１０１上に第１マイクロ構造層１１を設けることにより、保護シート本体１０の第２表面１０２が電子機器２の表面２１に貼り付けられた時、使用者は保護シート１上に確保されている第１マイクロ構造層１１の表面上で操作し、保護シート１の有する高硬度の特性により、使用者が保護シート１を引っ掻いたり或いは破損したりするのを防止でき、保護シート１の使用寿命を延長し、電子機器２の表面２１を保護する。
【００１４】
本実施例の保護シート１は、電子機器２の表示領域２２上を被覆し、本実施例の保護シート本体１０の材質は、透明アクリルで光学樹脂とされる。保護シート本体１０の屈折率は電子機器２の表面２１の屈折率より小さく、電子機器２が表示光線を発生する時、表示光線は保護シート本体１０を透過し、保護シート本体１０は表示光線を不断に保護シート１と電子機器２の表面２１の間で屈折させ、有効に電子機器２の表示輝度及び色彩飽和度を高め、電子機器２の表示画質を向上させる。本実施例の保護シート本体１０或いは第１マイクロ構造層１１は、特殊な光学設計により、電子機器２の輝度或いは色彩飽和度を向上できる。本実施例の保護シート本体１０の材質は、ガラス、ＰＥＴ、或いはその他の光学透明樹脂を使用できる。
【００１５】
以上の説明及び図１参照により明確なように、本実施例の第１マイクロ構造層１１は、第１光学樹脂で構成され、第１マイクロ構造層１１は、少なくとも一つの立体パターン１１１を有し、第１マイクロ構造層１１の表面が凹凸状を形成する。本実施例の立体パターン１１１の断面形状は直角二等辺三角形とされ、立体パターン１１１は規則配列を形成する（図３を参照されたい。図３は図１のａ領域の拡大図である。）ほか、不規則配列とされてもよい（図５Ａを参照されたい。図５Ａは図１のａ領域の拡大図である）。当然、立体パターン１１１の断面形状も、半円形（図５Ｂ）或いはその他の幾何形状としても良い。第１マイクロ構造層１１の立体パターン１１１はまた、霧面状、髪の毛模様状、皮革紋様状、編成模様状、カーボン模様状或いは同心円模様状とされ、ここでは説明は省略するがそれぞれその他各種の異なる作用を達成する。このほか、第１マイクロ構造層１１は特殊な設計により、プライバシー保護効果を達成でき、観る角度が３０度から１００度の間で、他者が電子機器２に表示される画面を覗き見るのを防止する。図４の第２マイクロ構造層１２と本実施例の第１マイクロ構造層１１の構造は同じである。
【００１６】
第１マイクロ構造層１１は、第１光学樹脂で構成され、保護シート１製造時に、第１光学樹脂内に少なくとも一種類の添加物を添加し、たとえば、反射防止剤を添加して、第１マイクロ構造層１１に反射防止の特性を持たせることができる。撥水防止剤を添加すれば、第１マイクロ構造層１１に撥水防止の特性を付加させて、撥水防止の特性を持たせられる。抗菌剤を添加すれば、第１マイクロ構造層１１に抗菌特性を付与し、抗菌特性を有することが出来る。この他にも、添加できる添加物は、眩光防止剤、鏡面剤、紫外線防止剤、輻射防止剤、霧防止剤、防漬剤或いは油汚れ防止剤等が添加できる。これにより、使用者の要求に応じて最適な添加物を第１光学樹脂に添加することで、保護シート１を使用者の要求に符合させることができる。
【００１７】
本実施例の保護シート１は電子機器２の表面２１に固定され、本考案の保護シート１は貼り付け構造１３により電子機器２の表面２１に貼り付けられる。貼り付け構造１３は保護シート本体１０の第２表面１０２に設置される。貼り付け構造１３は、接合層１３１、基材層１３２及び貼り付け層１３３を包含する。基材層１３２は第１表面１３２１と第２表面１３２２を備え、接合層１３１は基材層１３２の第１表面１３２１に設置され、貼り付け層１３３は基材層１３２の第２表面１３２２に設置される。接合層１３１と保護シート本体１０の第２表面１０２は粘着され、貼り付け層１３３は電子機器２の表面２１に貼り付けられる。本実施例の貼り付け層１３３はシリコーン樹脂を使用し、この材質は重複使用可能であり、これにより、保護シート１が電子機器２の表面２１より取り外されて、さらに電子機器２の表面２１に貼り付けられ保護シート１が重複使用可能であることを示す。当然、貼り付け層１３３はその他の光学樹脂を使用できる。本実施例の貼り付け構造１３は光学樹脂で構成され、接合層１３１、基材層１３２及び貼り付け層１３３はいずれも光学樹脂であり、本実施例の接合層１３１の材質はアクリル樹脂とされ、基材層１３２の材質はＰＥＴ樹脂とされるが、これは本考案の一つの実施例に過ぎず、これに限られるものではない。
【００１８】
図６は本考案の第４実施例の保護シートの断面図である。図示されるように、本実施例の保護シート１は、電子機器のタッチコントロール表示パネル上に貼り付けられる。良好なタッチコントロール操作を維持するため、本実施例の保護シート１の貼り付け構造１３はさらに導電層１３４を包含し、導電層１３４は接合層１３１と基材層１３２の間に設置され、保護シート１内の導電層１３４は電子機器２の表面２１と電気的に導通し、こうして保護シート１の導電性が増加されて、使用者が保護シート１を介して正常に電子機器２をタッチコントロール操作できる。導電層１３４はまた基材層１３２と貼り付け層１３３の間に設置することもでき（図７参照）、接合層１３１、基材層１３２或いは貼り付け層１３３内に嵌め込むこともできる（図８から図１０参照）。
【００１９】
総合すると、本考案は電子機器用の保護シートを提供し、本考案の保護シートは高硬度の特性を有し、周知の保護シートに較べ、良好な耐磨耗性と引っ掻き傷防止性を有し、保護シートの使用寿命が延長され、電子機器の表面を保護し、保護シートが重複して各種電子機器に貼り付け可能で、再利用の効果を達成する。本考案の保護シートは非常に薄くまた軽いため、使用者の電子機器のタッチコントロール操作に影響を与えることがなく、本考案の保護シートは導電層を備えており、良好なタッチコントロール操作を維持する。本考案の保護シートは有効に電子機器の表示輝度及び画質を向上させることができ、更に本考案の保護シートのエッジは丸い角とされ、使用者を傷つけるのを防止している。
【符号の説明】
【００２０】
１      保護シート
１０    保護シート本体
１０１  第１表面
１０２  第２表面
１１    第１マイクロ構造層
１２    第２マイクロ構造層
１３    貼り付け構造
１３１  接合層
１３２  基材層
１３２１  第１表面
１３２２  第２表面
１３３  貼り付け層
１３４  導電層
１４    丸い角
２      電子機器
２１    表面
２２    表示領域
【図１】
0003177810.tif 000003
【図２】
0003177810.tif 000004
【図３】
0003177810.tif 000005
【図４】
0003177810.tif 000006
【図５Ａ】
0003177810.tif 000007
【図５Ｂ】
0003177810.tif 000008
【図６】
0003177810.tif 000009
【図７】
0003177810.tif 000010
【図８】
0003177810.tif 000011
【図９】
0003177810.tif 000012
【図１０】
0003177810.tif 000013